(57)【要約】      （修正有）【課題】  グリップが手から離脱することを防止する離脱防止機能を向上し，たとえゴルフクラブのグリップを軽く握ってもスイングの基本動作を取得することができるようにし，またゴルフクラブを握る時の姿勢を正確に保つことができるようにすることによって，ヘッドスピード，飛距離，方向性を向上させる。【解決手段】  ゴルフクラブの軸の後端部に取付けるゴルフクラブ用グリップにおいて，グリップの後端部の外周面に，このグリップを握ったときの小指を軸方向に係止可能な係止部１２を設ける。係止部１２は，例えばグリップの後端部の外周面に先端側に形成された係止凹部１２ａと，この係止凹部の後端側に形成された係止凸部１２ｂとから構成する。【選択図】図１Ａ
2005028096.tif 000002
【特許請求の範囲】
【請求項１】
ゴルフクラブの軸の後端部に取付けるゴルフクラブ用グリップにおいて，前記グリップの後端部の外周面に，このグリップを握ったときの小指を軸方向に係止可能な係止部を設けることを特徴とするゴルフクラブ用グリップ。
【請求項２】
前記係止部は，前記グリップの後端部の外周面に先端側に形成された係止凹部と，この係止凹部の後端側に形成された係止凸部とから構成されることを特徴とする請求項１に記載のゴルフクラブ用グリップ。
【請求項３】
前記係止部は，前記グリップの外周面にその周方向に沿って放射線状に突出して設けられた複数の係止凸部により構成されることを特徴とする請求項１に記載のゴルフクラブ用グリップ。
【請求項４】
前記係止部は，前記グリップの外周面の一部に形成されたフック状の係止凸部により構成されることを特徴とする請求項１に記載のゴルフクラブ用グリップ。
【請求項５】
前記係止部は，前記グリップの外周面に設けられたリング状の係止凸部により構成されることを特徴とする請求項１に記載のゴルフクラブ用グリップ。
【発明の詳細な説明】
【技術分野】
【０００１】
本発明は，ゴルフクラブの軸に取付けるゴルフクラブ用グリップに関する。
【背景技術】
【０００２】
ゴルフクラブは，一般に，軸（シャフト）の先端部にヘッドを取付けるとともに，軸の後端部にグリップを取付けて構成される。ゴルフクラブに取付けられるグリップは，使用者が握る時にすべらないように例えば軟質の合成樹脂またはゴム材や皮革などの素材で構成され，すべり止めの手袋をはめてグリップを両手で握るようになっている。
【０００３】
【特許文献１】韓国実用新案登録第２８５５４０号明細書
【特許文献２】韓国実用新案出願公開第１９８７-９６３０号明細書
【発明の開示】
【発明が解決しようとする課題】
【０００４】
しかしながら，最近のゴルフクラブのグリップは，ヘッド方向へは細く，取っ手方向へは太くなるようにテーパ状に構成されている。このため，グリップを握る時には，小指はグリップの後端側に位置するので，小指の支点は太い径の支点になり，親指はグリップの先端側に位置するので，親指の支点は細い径の支点となる。これでは，グリップを握る時にバランスが合わず不便であった。特に，初心者の場合はグリップを強く握ってしまうので，軽く握ってスイングしなければわからない基本動作の取得が難しいという短所があった。
【０００５】
この点，初心者の場合に正確な姿勢を練習するためにグリップを握る支点を形成し，正しい姿勢をもってゴルフクラブを握ることができるようにする校正用ゴルフクラブが考案されている(例えば特許文献１参照)。ところが，このような校正用ゴルフクラブでは，ゴルフクラブを握る姿勢を校正することはできるが，その校正用ゴルフクラブのグリップに慣れていくと，例えば野外ゴルフ場で校正用ゴルフクラブを使うことができない場合には，ゴルフクラブが変わるので姿勢が変化してしまうという弊害がある。
【０００６】
また，グリップのすべりを防止するために，グリップにはベルクロテープを巻いて，手袋の少なくともグリップを握る部分にはベルクロテープを有するように構成し，すべり止めの効果がでるようにしたゴルフクラブが知られている(例えば特許文献２)。ところが，このようなグリップでは姿勢の校正ができないという短所がある。
【０００７】
そこで，本発明は，このような問題に鑑みてなされたもので，その目的とするところは，グリップが手から離脱することを防止する離脱防止機能を向上し，たとえゴルフクラブのグリップを軽く握ってもスイングの基本動作を取得することができるようにし，またゴルフクラブを握る時の姿勢を正確に保つことができるようにすることによって，ヘッドスピード，飛距離，方向性を向上させることができるゴルフクラブ用グリップを提供する。
【課題を解決するための手段】
【０００８】
上記課題を解決するために，本発明によれば，ゴルフクラブの軸の後端部に取付けるゴルフクラブ用グリップにおいて，前記グリップの後端部の外周面に，このグリップを握ったときの小指を軸方向に係止可能な係止部を設けることを特徴とするゴルフクラブ用グリップが提供される。
【０００９】
また，上記係止部は，前記グリップの後端部の外周面に先端側に形成された係止凹部と，この係止凹部の後端側に形成された係止凸部とから構成してもよい。
【００１０】
また，上記係止部は，前記グリップの外周面にその周方向に沿って放射線状に突出して設けられた複数の係止凸部により構成してもよい。
【００１１】
また，上記係止部は，前記グリップの外周面の一部に形成されたフック状の係止凸部により構成してもよい。
【００１２】
また，上記係止部は，前記グリップの外周面に設けられた例えば断面略半円のようなリング状の係止凸部により構成してもよい。
【００１３】
このような本発明によれば，ゴルフクラブのグリップの後端部に係止部を備えることによって，使用者がゴルフクラブを握ってスイングする際に，小指がグリップの係止部に係止されて，ゴルフクラブに発生する瞬間的な遠心力に抗することができる。このため，ゴルフクラブが手から離脱することを防止する離脱防止機能を向上させることができる使い勝手のよいゴルフクラブを提供することができる。
【００１４】
また小指がグリップの係止部にしっかり係止されるので，例えばダウンスイングの時にボールが当る瞬間に例えば損失，分散によって奪われる力をすべて抑制することができる。また，ゴルフクラブのグリップを軽く握っただけでもゴルフクラブが手から離脱し難くなるので，スイングが柔らかくなり，しかも正しい姿勢が維持されるので，打撃されたゴルフボールの飛距離も長くなり，方向性も向上させることができる。
【発明の効果】
【００１５】
本発明によれば，グリップを握った小指を係止部により軸方向に係止することができるので，ゴルフクラブが手から離脱することを防止する離脱防止機能を向上させることができる使い勝手のよいゴルフクラブを提供することができる。これにより，正しい姿勢が維持されるので，打撃されたゴルフボールの飛距離も長くなり，方向性も向上させることができる。
【発明を実施するための最良の形態】
【００１６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１７】
先ず，本発明の第１の実施形態にかかるゴルフクラブ用グリップ（以下，単にグリップともいう）について図１Ａ，図１Ｂを参照しながら説明する。図１Ａは第１の実施形態にかかるグリップの外観構成を示す斜視図であり，図１Ｂは図１Ａに示すグリップの縦断面図である。
【００１８】
図１Ａ，図１Ｂに示すように，第１の実施形態にかかるグリップ１０は，ゴルフクラブの軸（シャフト）２の後端部に取付けられる。グリップ１０はゴルフクラブの軸２の凹溝部６に通常の方法で結合される。例えばゴルフクラブの軸２の後端部には軸方向に沿った凹溝部６を形成し，グリップ１０の内側には上記凹溝部６に係合する突起部（図示しない）を形成する。グリップ１０は突起部が凹溝部６に係合するように軸２に挿入されることにより，回転不能に装着され固定される。なお，グリップ１０は，例えばすべり防止のため，軟質素材の合成樹脂材，ゴム材軟などで構成される。
【００１９】
第１の実施形態にかかるグリップ１０は，図１Ａ，図１Ｂに示すように，グリップ１０の後端から先端に向かって先細となるテーパ状に形成されている。グリップ１０には，その後端側の外周面例えばグリップ１０を握ったときの小指が位置する部位に係止部１２が形成されている。
【００２０】
グリップ１０の係止部１２は先端側に形成された係止凹部１２ａとこの係止凹部１２ａの後端側に形成された係止凸部１２ｂとからなる。係止凹部１２ａと係止凸部１２ｂとはそれぞれグリップ１０の外周面の周方向に沿って部分的に形成されている。係止凹部１２ａと係止凸部１２ｂとは小指で握り易いように例えば滑らかな曲面で形成される。
【００２１】
また，第１の実施形態にかかるグリップ１０はグリップ１０の外周面に係止部１２を形成するという簡単な構成であるため，このようなグリップ１０を製造するには，例えば金型により係止部１２がグリップ１０と一体で形成することができるので，製造も容易である。
【００２２】
このような第１の実施形態にかかるグリップ１０を装着したゴルフクラブを利用してゴルフ練習場や野外ゴルフ場でスイングをするために，グリップ１０を握る時には，グリップ１０の後端部支点に位置する小指をグリップ１０の係止部１２の支点（第１の実施形態では係止凹部１２ａ，後述する第２〜第４の実施形態では係止凸部の先端側）に位置するように握り，もう一方の手はさらにその先端側の支点を握ってスイングをする。
【００２３】
すなわち，ゴルフクラブを軽く握って勢いよくスイングして瞬間的にゴルフクラブに強い遠心力が生じても，例えば左手の小指支点がグリップ１０の係止部１２の支点（係止部１２の係止凸部１２ｂの先端側）に引っかかってゴルフクラブは手から離脱しなくなる。従って，正しい姿勢がスイングが終了まで維持され，打撃されたゴルフボールの方向性と飛距離が長くなるのである．
このように，本実施形態にかかるグリップ１０によれば，グリップ１０の後端部に係止部１２を設けたので，図５に示すようにグリップ１０を握るときに，最適な位置が容易にわかる。また，ゴルフクラブをスイングしたときに，その遠心力に抗してグリップ１０を握ったときに小指を軸方向に係止することができる。これにより，グリップ１０が手から離脱しないようにすることができる。
【００２４】
また，たとえグリップ１０を軽く握っても小指が係止部１２によって係止されるため，グリップ１０が手から離脱し難いので，軽く握ってもスイングの基本動作を取得することができる。これにより，ゴルフクラブを握る時の姿勢を正確に保つことができるので，ヘッドスピード，飛距離，方向性を向上させることができる。つまり，小指を係止部で引っ掛けることができるので，ゴルフのスイング時に一番重要な点，すなわち手から力を拔くことができる。このため，スライス，トップボール打ちやダフをも防ぐことができる。
【００２５】
特に，第１の実施形態にかかるグリップ１０の係止部１２は係止凹部１２ａ，係止凸部１２ｂから構成されるので，図５に示すように係止凹部１２ａに小指を入れてグリップ１０の握ることにより，小指の位置を容易に定めることができる。また係止凹部１２ａが形成されるのでその部分の径は小さくなり，小指でも握り易くなる。また，係止凹部１２ａの後端側に係止凸部１２ｂを形成したので，ゴルフクラブをスイングしたときに，その遠心力に抗してグリップ１０を握った小指が軸方向に係止され易くなる。
【００２６】
次に，本発明の第２の実施形態にかかるグリップについて図２Ａ，図２Ｂを参照しながら説明する。図２Ａは第２の実施形態にかかるグリップの外観構成を示す斜視図であり，図２Ｂは図２Ａに示すグリップの縦断面図である。第２の実施形態にかかるグリップ２０の係止部２２は，図２Ａ，図２Ｂに示すようにグリップ２０の後端部の外周面に周方向に沿って所定間隔で放射線状に突出して設けられた複数の係止凸部により構成される。なお，この係止部２２はスイングしたときに小指を軸方向に係止され易くなるように構成されればよく，その係止部２２の係止凸部の高さ，大きさ，各係止凸部の間隔，個数は図示されたものに限定されるものではない。
【００２７】
第２の実施形態にかかるグリップ２０は，係止部２２を複数の係止凸部により形成するため，金型などによりグリップ２０と係止部２２を一体で成形してもよく，またグリップ２０に形成された孔に係止部２２を挿入するようにして製造してもよい。
【００２８】
このような第２の実施形態にかかるグリップ２０によれば，グリップ２０の後端部に係止部２２を設けたので，第１の実施形態と同様に，グリップ２０を握るときに最適な位置が容易にわかり，グリップ２０を握ったときの小指を軸方向に係止することができ，グリップ２０が手から離脱しないようにすることができる。また，グリップ２０を軽く握ってもスイングの基本動作を取得することができる。これにより，ゴルフクラブを握る時の姿勢を正確に保つことができるので，ヘッドスピード，飛距離，方向性を向上させることができる。
【００２９】
次に，本発明の第３の実施形態にかかるグリップについて図３Ａ，図３Ｂを参照しながら説明する。図３Ａは第３の実施形態にかかるグリップの外観構成を示す斜視図であり，図３Ｂは図３Ａに示すグリップの縦断面図である。第３の実施形態にかかるグリップ３０の係止部３２は，図３Ａ，図３Ｂに示すようにグリップ３０の後端部の外周面の一部に形成されたフック状の係止凸部により構成される。第３の実施形態にかかる係止部３２は，例えばグリップ３０の外周面に略垂直に掛止面を有するようにフック状の係止凸部を形成する。
【００３０】
第３の実施形態にかかるグリップ３０は，上記第１及び第２の実施形態と同様に例えば金型などによりグリップ３０と係止部３２を一体で成形してもよい。
【００３１】
このような第３の実施形態にかかるグリップ３０によれば，グリップ３０の後端部に係止部３２を設けたので，第１の実施形態と同様に，グリップ３０を握るときに最適な位置が容易にわかるとともに，グリップ３０を握ったときの小指を軸方向に係止することができ，グリップ３０が手から離脱しないようにすることができる。また，グリップ３０を軽く握ってもスイングの基本動作を取得することができる。これにより，ゴルフクラブを握る時の姿勢を正確に保つことができるので，ヘッドスピード，飛距離，方向性を向上させることができる。
【００３２】
次に，本発明の第４の実施形態にかかるグリップについて図４Ａ，図４Ｂを参照しながら説明する。図４Ａは第４の実施形態にかかるグリップの外観構成を示す斜視図であり，図４Ｂは図４Ａに示すグリップの縦断面図である。第４の実施形態にかかるグリップ４０の係止部４２は，図４Ａ，図４Ｂに示すようにグリップ４０の後端部の外周面に形成された断面略半円のリング状の係止凸部により構成される。なお，このリング状の係止凸部から構成される係止部４２の断面形状は，略半円形状に限られるものではなく，様々形状にすることが可能である。
【００３３】
第４の実施形態にかかるグリップ４０は，上記第１〜第３の実施形態と同様に例えば金型などによりグリップ４０と係止部４２を一体で成形してもよく，またグリップ４０と係止部４２を別体で構成し，リング状の係止部４２をグリップ４０に装着するようにしてもよい。この場合，係止部４２は伸縮素材から構成してもよい。
【００３４】
このような第４の実施形態にかかるグリップ４０によれば，グリップ４０の後端部に係止部４２を設けたので，第１の実施形態と同様に，グリップ４０を握るときに最適な位置が容易にわかるとともに，グリップ４０を握ったときの小指を軸方向に係止することができ，グリップ４０が手から離脱しないようにすることができる。また，グリップ４０を軽く握ってもスイングの基本動作を取得することができる。これにより，ゴルフクラブを握る時の姿勢を正確に保つことができるので，ヘッドスピード，飛距離，方向性を向上させることができる。
【００３５】
特に第４の実施形態にかかるグリップ４０の係止部４２はリング状の係止凸部で構成されるので，この係止部４２をグリップ４０とは別体で構成すれば，本願発明のような係止部が設けられていない既存のゴルフクラブのグリップであっても，このリング状の係止部４２を装着することにより，本発明の効果を奏することができる。
【００３６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３７】
本発明は，ゴルフクラブ用グリップに適用可能である。
【図面の簡単な説明】
【００３８】
【図１Ａ】本発明の第１の実施形態にかかるゴルフクラブ用グリップの外観構成を示す斜視図である。
【図１Ｂ】図１に示すゴルフクラブ用グリップの縦断面図である。
【図２Ａ】本発明の第２の実施形態にかかるゴルフクラブ用グリップの外観構成を示す斜視図である。
【図２Ｂ】図２Ａに示すゴルフクラブ用グリップの縦断面図である。
【図３Ａ】本発明の第３の実施形態にかかるゴルフクラブ用グリップの外観構成を示す斜視図である。
【図３Ｂ】図３Ａに示すゴルフクラブ用グリップの縦断面図である。
【図４Ａ】本発明の第４の実施形態にかかるゴルフクラブ用グリップの外観構成を示す斜視図である。
【図４Ｂ】図４Ａに示すゴルフクラブ用グリップの縦断面図である。
【図５】図１に示すゴルフクラブ用グリップの実施状態を説明する図である。
【符号の説明】
【００３９】
２      軸
６      凹溝部
１０      グリップ
１２      係止部
１２ａ    係止凹部
１２ｂ      係止凸部
２０      グリップ
２２      係止部
３０      グリップ
３２      係止部
４０      グリップ
４２      係止部
【図１Ａ】
2005028096.tif 000003
【図１Ｂ】
2005028096.tif 000004
【図２Ａ】
2005028096.tif 000005
【図２Ｂ】
2005028096.tif 000006
【図３Ａ】
2005028096.tif 000007
【図３Ｂ】
2005028096.tif 000008
【図４Ａ】
2005028096.tif 000009
【図４Ｂ】
2005028096.tif 000010
【図５】
2005028096.tif 000011
【手続補正書】
【提出日】平成15年12月26日(2003.12.26)
【手続補正１】
【補正対象書類名】明細書
【補正対象項目名】００３５
【補正方法】変更
【補正の内容】
【００３５】
特に第４の実施形態にかかるグリップ４０の係止部４２はリング状の係止凸部で構成されるので，例えば図６Ａ，６Ｂ，図７Ａ，７Ｂに示すように，この係止部４２をグリップ４０とは別体で構成すれば，本願発明のような係止部が設けられていない既存のゴルフクラブのグリップであっても，このリング状の係止部４２を装着することにより，本発明の効果を奏することができる。
【手続補正２】
【補正対象書類名】明細書
【補正対象項目名】００３８
【補正方法】変更
【補正の内容】
【００３８】
【図１Ａ】本発明の第１の実施形態にかかるゴルフクラブ用グリップの外観構成を示す斜視図である。
【図１Ｂ】図１に示すゴルフクラブ用グリップの縦断面図である。
【図２Ａ】本発明の第２の実施形態にかかるゴルフクラブ用グリップの外観構成を示す斜視図である。
【図２Ｂ】図２Ａに示すゴルフクラブ用グリップの縦断面図である。
【図３Ａ】本発明の第３の実施形態にかかるゴルフクラブ用グリップの外観構成を示す斜視図である。
【図３Ｂ】図３Ａに示すゴルフクラブ用グリップの縦断面図である。
【図４Ａ】本発明の第４の実施形態にかかるゴルフクラブ用グリップの外観構成を示す斜視図である。
【図４Ｂ】図４Ａに示すゴルフクラブ用グリップの縦断面図である。
【図５】図１に示すゴルフクラブ用グリップの実施状態を説明する図である。
【図６Ａ】本発明の他の変形例にかかるゴルフクラブ用グリップの外観構成を示す斜視図である。
【図６Ｂ】図６Ａに示すゴルフクラブ用グリップの装着時における外観図である。
【図７Ａ】本発明の他の変形例にかかるゴルフクラブ用グリップの外観構成を示す斜視図である。
【図７Ｂ】図６Ａに示すゴルフクラブ用グリップの装着時における外観図である。
【手続補正３】
【補正対象書類名】図面
【補正対象項目名】図６Ａ
【補正方法】追加
【補正の内容】
【図６Ａ】
2005028096.tif 000012
【手続補正４】
【補正対象書類名】図面
【補正対象項目名】図６Ｂ
【補正方法】追加
【補正の内容】
【図６Ｂ】
2005028096.tif 000013
【手続補正５】
【補正対象書類名】図面
【補正対象項目名】図７Ａ
【補正方法】追加
【補正の内容】
【図７Ａ】
2005028096.tif 000014
【手続補正６】
【補正対象書類名】図面
【補正対象項目名】図７Ｂ
【補正方法】追加
【補正の内容】
【図７Ｂ】
2005028096.tif 000015